(57)【要約】【課題】封緘材を使用しないで、箱のフラップを利用して封緘ロックできる天面封緘箱を提供する。【解決手段】基準フラップの略中央部に指穴を有し、該指穴を挟んで基準フラップ先端側に一対の係合溝を、反対側には該フラップの中央から側板との境界線に向かってハの字状に広がる一対の弱め線を設け、基準フラップを挟んで対向する１組の天面フラップは、それぞれ基準フラップ寄りの先端隅部にＬ字状に切取られた係合部を有し、各天面フラップを基準フラップから順に時計回り方向または反時計回り方向に、側板内方に折り曲げ、隣り合う天面フラップの一端部が交互に重なり合うようにしてから指穴を介して基準フラップを持ち上げることで、前記一対の係合溝と係合部とが噛み合うようにした。【選択図】      図２
2004359285.tif 000002
【特許請求の範囲】
【請求項１】
角筒状に連接した４枚の側板と、各側板の上辺にそれぞれ連接されて天板を形成する天面フラップと、各側板の下辺に連接されて底板を形成する底面フラップとを備える段ボール箱において、
前記天面フラップのうち、所定の１枚の天面フラップを基準フラップとし、各天面フラップを基準フラップから順に時計回り方向または反時計回り方向に内方に折り曲げ、基準フラップの先端に設けた係合溝と、隣合う天面のフラップに設けた係合部とを噛み合わせて天面フラップを環状に固定しロックすることを特徴とする環状ロック式天面封緘箱。
【請求項２】
基準フラップはその略中央部に指穴を有し、該指穴を挟んで基準フラップ先端側に一対の係合溝を、反対側にフラップの中央部から側板との境界線に向かって罫線または切込み線からなる一対の弱め線を有し、
基準フラップを挟んで対向する１組の天面フラップは、それぞれに基準フラップ寄りの先端隅部にＬ字状に切取られた係合部を有し、
各天面フラップを基準フラップから順に時計回りまたは反時計回りに側板内方に折り曲げ、隣合う天面フラップの一端部が交互に重なり合うようにしてから指穴を介して基準フラップを持ち上げることで、前記一対の係合溝と係合部とが噛み合うことを特徴とする請求項１に記載の環状ロック式天面封緘箱。
【請求項３】
基準フラップは、箱の短側板の上辺に連接されている天面フラップである請求項２に記載の環状ロック式天面封緘箱。
【請求項４】
角筒状に連接した４枚の側板と、各側板の上辺にそれぞれ連接されて天板を形成する天面フラップと、各側板の下辺に連接されて底板を形成する底面フラップとを備える段ボール箱において、
前記天面フラップのうちの所定の１枚の天面フラップを基準フラップとし、基準フラップはその先端部に指穴と係合溝とを設け、また該係合溝の底部から側板との境界線に向かって罫線または切込線からなる一対の弱め線を有し、一方、基準フラップと隣合った２枚の天面フラップのうちの少なくとも一方の先端部に、前記係合溝と噛み合う係合部を有し、
各天面フラップを基準フラップから順に時計回りまたは反時計回り方向に側板内方に折り曲げ、隣合うそれぞれの天面フラップの端部が交互に重なり合うようにしてから指穴を介して基準フラップを持ち上げることで、前記係合溝と係合部とが噛み合うことを特徴とする環状ロック式天面封緘箱。
【請求項５】
前記基準フラップは、箱の長側板の上辺に連接されている天面フラップである請求項４に記載の環状ロック式天面封緘箱。
【請求項６】
角筒状に連接した４側板の上辺に天面フラップが設けられ、該天面フラップが側板の内側に折り込まれた状態で、少なくとも箱天面に開口部が形成される段ボール箱において、
前記天面フラップのうちの所定の１枚の天面フラップを基準フラップとし、基準フラップはその先端部に係合溝を設け、また該係合溝の底部から側板との境界線に向かって罫線または切込線からなる一対の弱め線を有し、一方、基準フラップと隣合った２枚の天面フラップのうち、少なくとも一方の天面フラップの先端部に、前記係合溝と噛み合う係合部を有し、
各天面フラップを基準フラップから順に時計回りまたは反時計回り方向に側板内方に折り曲げ、隣合うそれぞれの天面フラップの端部が交互に重なり合うようにしてから箱天面に設けた開口部を介して基準フラップを持ち上げることで、前記係合溝と係合部とが噛み合うことを特徴とする環状ロック式天面封緘箱。
【請求項７】
基準フラップは、箱の短側板の上辺に連接されている天面フラップである請求項６に記載の環状ロック式天面封緘箱。
【発明の詳細な説明】
【０００１】
【発明の属する技術分野】
本発明は封緘材を使用しないで簡単に封緘ロックできる天面封緘箱に関する。
【０００２】
【従来の技術】
農産物を段ボールに箱詰めして出荷する場合、従来は生産者サイドで一度に多数の箱を組立て、これに荷詰めして出荷するので、組立てが容易なＪＩＳ−Ｚ１５０７の０２０１形式（旧Ａ−１形）の段ボール箱が多用されている。
この箱は、長方形状の４側板を一方向に連接し、その４側板に箱の底面及び天面を封鎖するため、底面側と天面側にそれぞれ上下の天面フラップを連接してなるほぼ直方体形状の箱であり、組立に際しては、連接した４枚の側板を角筒状に連結した後、上下の天面フラップを内側に折り曲げ、重ね合わせた部分をステープルと呼ばれる金属針を専用のマシンンで打ち込んでジョイント（平線接合）するか、あるいはフラップをテープ貼りすることで封緘していた。
【０００３】
しかし、ステープル方式によるジョイント作業は、ステープル打込みマシンで上下天面フラップの重合面の２箇所または４箇所をロックする必要があるが、ステープル打ち込みマシンは、重くて力を要するので非力の人間には取り扱いが大変であり、労力とコストが嵩む問題がある。また、金属針でケガの危険があり、あるいは青果物にキズをつけたり、開梱時に箱内に金属の針が混入することがある。
また、使用済みの箱を古紙として再利用する場合にあっても箱を解体処分する際に金属の針が混入したままであると危険であるし、ステープルや封緘テープは異物なので分別除去する作業が必要であるから、封緘材ごみの処理コストがかさむ問題がある。
こうしたことから近年、環境負担の低減を目的として、封緘材の削減・廃止、封緘や開封作業性の向上及び解体作業等での安全性の向上等の要望が段ボール業界に寄せられている。すなわち封緘材を使用しないで封緘ロックできる包装箱が求められている。
【０００４】
本発明は、斯かる実情に鑑み、封緘材を使用しないで迅速、簡単に天面を封緘ロックすることができる簡易封緘箱を提供しようとするものである。
【０００５】
【課題を解決するための手段】
上記の課題を解決するために、本発明は次のような構成を有する天面封緘箱を提案する。
（１）  角筒状に連接した４枚の側板と、各側板の上辺にそれぞれ連接されて天板を形成する天面フラップと、各側板の下辺に連接されて底板を形成する底面フラップとを備える段ボール箱において、
前記天面フラップのうち、所定の１枚の天面フラップを基準フラップとし、各天面フラップを基準フラップから順に時計回り方向または反時計回り方向に内方に折り曲げ、基準フラップの先端に設けた係合溝と、隣合う天面のフラップに設けた係合部とを噛み合わせて天面フラップを環状に固定しロックすることを特徴とする環状ロック式天面封緘箱。
（２）  基準フラップはその略中央部に指穴を有し、該指穴を挟んで基準フラップ先端側に一対の係合溝を、反対側に該フラップの中央から側板との境界線に向かって罫線または切込み線からなる一対の弱め線を有し、基準フラップを挟んで対向する１組の天面フラップは、それぞれに基準フラップ寄りの先端隅部にＬ字状に切取られた係合部を有し、
各天面フラップを基準フラップから順に時計回りまたは反時計回りに側板内方に折り曲げ、隣合う天面フラップの一端部が交互に重なり合うようにしてから指穴を介して基準フラップを持ち上げることで、前記一対の係合溝と係合部が噛み合うことを特徴とする（１）に記載の環状ロック式天面封緘箱。
（３）  基準フラップは、箱の短側板の上辺に連接されている天面フラップである（２）に記載の環状ロック式天面封緘箱。
（４）  角筒状に連接した４枚の側板と、各側板の上辺にそれぞれ連接されて天板を形成する天面フラップと、各側板の下辺に連接されて底板を形成する底面フラップとを備える段ボール箱において、
前記天面フラップのうちの所定の１枚の天面フラップを基準フラップとし、基準フラップはその先端部に指穴と係合溝とを設け、また該係合溝の底部から側板との境界線に向かって罫線または切込線からなる一対の弱め線を有し、
一方、基準フラップと隣合った２枚の天面フラップのうちの少なくとも一方の先端部に、前記係合溝と噛み合う係合部を有し、
各天面フラップを基準フラップから順に時計回りまたは反時計回り方向に側板内方に折り曲げ、隣合うそれぞれの天面フラップの端部が交互に重なり合うようにしてから指穴を介して基準フラップを持ち上げることで、前記係合溝と係合部が噛み合うことを特徴とする環状ロック式天面封緘箱。
（５）  前記基準フラップは、箱の長側板の上辺に連接されている天面フラップである（４）に記載の環状ロック式天面封緘箱。
（６）  角筒状に連接した４側板の上辺に天面フラップが設けられ、該天面フラップが側板の内側に折り込まれた状態で、少なくとも箱天面に開口部が形成される段ボール箱において、
前記天面フラップのうちの所定の１枚の天面フラップを基準フラップとし、基準フラップはその先端部に係合溝を設け、また該係合溝の底部から側板との境界線に向かって罫線または切込線からなる一対の弱め線を有し、一方、基準フラップと隣合った２枚の天面フラップのうち、少なくとも一方の天面フラップの先端部に、前記係合溝と噛み合う係合部を有し、
各天面フラップを基準フラップから順に時計回りまたは反時計回り方向に側板内方に折り曲げ、隣合うそれぞれの天面フラップの端部が交互に重なり合うようにしてから箱天面に設けた開口部を介して基準フラップを持ち上げることで、前記係合溝と係合部が噛み合うことを特徴とする環状ロック式天面封緘箱。
（７）  基準フラップは、箱の短側板の上辺に連接されている天面フラップである（６）に記載の環状ロック式天面封緘箱。
【０００６】
【発明の実施の形態】
以下、本発明の実施形態を添付図面を参照して説明する。
図１、図３は、それぞれ第１、第２の実施形態の封緘箱の展開図であり、図２、図４はそれぞれ第１、第２の実施形態の箱の組立説明図である。
第１の実施形態の箱は１ピースの段ボール製ブランクシートからなるもので、箱の長側面を構成する側板１、３と、箱の短側面を構成する側板２、４とを交互に折線を介して連接している。前記４側板の上辺には、それぞれ連接されて天板を形成する４枚の天面フラップ５〜８を備えている。
【０００７】
前記４枚の天面フラップのうち、長側板の上辺に連接されている天面フラップ５、７の長さは、短側板２、４の横幅の１／２とされ、箱を封緘するときにフラップ先端を突き合せることができる長さとされている。
短側板の上辺に連接されている天面フラップ６、８は、そのうちの１枚を基準フラップとする。基準フラップ６はその略中央部に指穴９を設け、その指穴を挟んで基準フラップ先端側に一対の係合溝１０ａ、１０ｂを形成する。
また基準フラップ６の根本側に該フラップのほぼ中央部から、フラップと側板２との境界線に向かってハの字状に広がる切込線または罫線からなる一対の弱め線１１ａ、１１ｂを設ける。この弱め線は、ミシン線やブランク板厚の半分程度まで切込みを入れたハーフカット線で通常は構成するが、普通の押し罫で構成することもできる。
また、前記の一対の係合溝と一対の弱め線との間に、罫線１２ａ、１２ｂを形成してもよい。
【０００８】
基準フラップ６を挟んで隣り合った天面フラップ５と７には、図１に示すように、それぞれに基準フラップ寄りの先端隅部をＬ字状に切取り形成させた係合部１３ａ、１３ｂを設ける。
【０００９】
また、各側板の下辺にそれぞれに連接されて底板を形成する４枚の底面フラップ１４〜１７を設ける。この底面フラップの形式は通称、インターロック形とも呼ばれ、ＪＩＳ  Ｚ１５０７で規定される０２１６形式の底面フラップである。組立時に外側になる底面フラップ１４はその根本側から先端に向かって４５度の傾斜で徐々に狭くなる台形状とされて、先端部に差込片１４ａが突設されている。もう一つの底面フラップ１６は略矩形状であり、先端に前記差込片と噛み合う凹部１６ａが形成されている。組立時に内側になる底面フラップ１５、１７は、略対称の鉤状であり、底面フラップ１６を挟んで向合った辺は「く」の字、または逆「く」の字の形状となっている。
なお符号１８で示すものは、側板１の左辺に設けた接合片である。また符号１９は、側板２、４の上部に形成した手掛け穴である。
【００１０】
次に上記ブランクシートから、第１の実施形態の箱を組み立てるときの手順を説明する。先ず側板を角筒状に接合してから底を組立てるのであるが、図７に示すように、箱を上下をひっくり返して長側面側の底面フラップ１６を折り込んでから、その上に短側面側の底面フラップ１５と１７を折込み、最後の底面フラップ１４を順次折り込んで底を組立てる。
底組み完成後、箱の上下を元に戻し内容物を収納する。次に天面を封緘するときは、図２（ａ〜ｃ）に示すように、天面フラップを基準フラップ６から順に時計回り方向または反時計回り方向に内方に折り曲げ、基準フラップの先端に設けた係合溝とその両隣のフラップに設けた係合部とを噛み合わせて環状にロックして天面を封緘する。
すなわち、基準フラップはその略中央部に指穴９を有し、指穴を挟んで基準フラップ６の先端側に一対の係合溝１０ａ、１０ｂを設け、基準フラップ６の根本側に該フラップの中央から側板との境界線に向かってハの字状に広がる一対の弱め線１１ａ、１１ｂを有し、基準フラップ６を挟んで対向する１組の天面フラップ５、７は、それぞれ基準フラップ寄りの先端隅部にＬ字状に切取られた係合部１３ａ、１３ｂと有しているので、４枚の天面フラップを順次内側に折曲げて隣合う天面フラップの側端部が交互に重なり合うようにした後、指穴９に指を差込んで基準フラップを持ち上げると、前記一対の係合溝１０ａ、１０ｂと係合部１３ａ、１３ｂとが噛み合うこととなり、天面フラップは固定する。
【００１１】
次に、図３及び図４を用いて第２の実施形態の箱について説明する。第２の実施形態の箱は、第１の実施形態の箱とほとんど同じ形態であるから対応する部材には同一の符号を付し詳しい説明を省略する。
第２実施形態の箱は図３のブランクシートから組み立てられる。図３において、長側板の上辺に連接される天面フラップ５と７のうち、天面フラップ７を基準フラップとする。基準フラップ７は、その先端部に指穴２０と係合溝２１とを設け、また係合溝２１の底部から側板３との境界線に向かってハの字状に広がる一対の弱め線２２ａ、２２ｂを有している。
一方、基準フラップ７と隣り合った２枚の天面フラップ６、８のうちの少なくとも一方の天面フラップ６の先端部に、前記係合溝と噛み合う係合部２３を有している。
【００１２】
図３から箱を組立てるときは、第１の実施形態と同様に、先ず側板を角筒状に接合してから底を組み立てる。次に基準フラップ７から順次内側に折り曲げて隣合う天面フラップの一端部が交互に重なり合うようにする。最後に指穴２０に指を差込んで基準フラップ７を持ち上げると、該フラップは、ハの字状弱め線２２ａ、２２ｂにより先端側から折れ曲がり、前記の係合溝２１と係合部２３とが噛み合って天面フラップが固定する。
【００１３】
尚、本発明は上記した実施の形態に限定されるものではなく、本発明の要旨を逸脱しない範囲内において種々変更を加え得ることは勿論である。例えば図５及び図６に示す第３の実施形態のように、角筒状に連接した４側板の上辺に天面フラップが設けられ、該天面フラップが側板の内側に折り込まれた状態で、箱天面に開口部３０が形成される段ボール箱にも本発明を適用することができる。すなわち、この実施形態の天面フラップ５〜８の長さ方向の寸法Ｆ１は、箱の幅面を構成する短側板２の幅方向寸法Ｗの１／２よりも短く設定されている。そのため、箱組立時に、天面フラップ５〜８を内側に折り曲げて封緘すると、箱天面中央部に換気に好適な開口部３０が図６に示すように形成される。なお、長側板１，３にも長孔状の換気窓３１が設けられている。
【００１４】
底面フラップ１４〜１７は略矩形状に形成され、その長さ方向の寸法Ｆ２は、箱の幅面を構成する短側板２の幅方向寸法Ｗの１／２の長さとほぼ等しく形成されているから、箱の底面を組立てたときには、底面フラップ１４と１５は突き合せとなって、底面全面が閉塞されるようになっている。
【００１５】
一方、天面フラップ５〜８には次のような構成の天面ロック機構が形成されている。すなわち前記天面フラップ５〜８のうちの所定の１枚の天面フラップ６を基準フラップとし、該基準フラップ６はその先端部に係合溝３２を設け、また該係合溝３２の底部から側板との境界線に向かってＶの字状の罫線３３ａまたは切込線３３ｂからなる一対の弱め線を有し、一方、基準フラップ６と隣合った２枚の天面フラップのうち、少なくとも一方の天面フラップ５の先端部に、前記係合溝と噛み合う係合部３４を設けておく。組立時には、図６のように、各天面フラップを基準フラップから順に時計回りまたは反時計回り方向に側板内方に折り曲げ、隣合うそれぞれの天面フラップの端部が交互に重なり合うようにしてから箱天面に設けた開口部３０を介して基準フラップ６を持ち上げることで、前記係合溝３２と係合部３４が噛み合うようにする。
なお、天面フラップ８の先端部にもフラップ６と同様な係合部を形成させることができる（図略）。その場合、天面フラップ７には、天面フラップ８寄りに、係合溝と弱め線（図略）を設けることがよい。
【００１６】
【発明の効果】
以上説明したように本発明によれば、各天面フラップを基準フラップから順に時計回り方向または反時計回り方向に内方に折り曲げ、基準フラップの先端に設けた係合溝と隣合う天面のフラップに設けた係合部とを噛み合わせて天面フラップを環状に固定しロックすることができるから、封緘材を使用しないで迅速、簡単に天面を封緘ロックすることができ、環境負荷の低減、封緘時の作業性の向上、解体時の安全性の向上という優れた効果を発揮する。
【図面の簡単な説明】
【図１】第１の実施形態の箱の展開図である。
【図２】第１の実施形態の箱の組立説明図である。
【図３】第２の実施形態の箱の展開図である。
【図４】第２の実施形態の箱の組立説明図である。
【図５】第３の実施形態の箱の展開図である。
【図６】第３の実施形態の箱の組立説明図である。
【図７】底組の組立説明図である。
【符号の説明】
１，３  長側板
２，４  短側版
５〜８  天面フラップ
９  指穴
１０ａ，１０ｂ  係合溝
１１ａ、１１ｂ  弱め線
１２ａ，１２ｂ  罫線
１３ａ，１３ｂ  係合部
１４〜１７  底面フラップ
２０  指穴
２１  係合溝
２２ａ、２２ｂ  弱め線
２３  係合部
３０  開口
３２  係合溝
３３ａ、３３ｂ  弱め線
３４  係合溝
【図１】
2004359285.tif 000003
【図２】
2004359285.tif 000004
【図３】
2004359285.tif 000005
【図４】
2004359285.tif 000006
【図５】
2004359285.tif 000007
【図６】
2004359285.tif 000008
【図７】
2004359285.tif 000009